(57)【要約】【課題】対象者を絞り込んだ効果的なオンライン広告等の情報提供を行うことができる情報提供システムを提供する。【解決手段】各場所毎に予め付与され表示される固有の識別情報と、前記識別情報と共に表示される管理者の電子メールのアドレスと、電子メールを送受することができる管理用サーバ10、電子メールを送受することができる端末と、を備える。管理用サーバ10は、識別情報とその識別情報に対応する情報とを関連づけて記憶する記憶部100と、宛先に電子メールのアドレスが入力され、表題に識別情報が入力された電子メールを端末から受信したときに、受信した電子メールの識別情報に対応する情報を記憶部から読み出す読出し部101と、読出し部101によって読み出された情報に基づいた表示を端末の画面に行なう端末表示制御部102と、電子メールの送受信を行なう電子メール送信部103と、を備える。【選択図】図４
2005070679.tif 000002
【特許請求の範囲】
【請求項１】
各場所毎に予め付与され表示される固有の識別情報と、前記識別情報と共に表示される管理者の電子メールのアドレスと、電子メールを送受することができる管理用サーバと、電子メールを送受することができる端末と、を備え、
前記管理用サーバは、前記識別情報と前記識別情報に対応する情報とを関連づけて記憶する記憶手段と、宛先に前記電子メールのアドレスが入力され、表題に前記識別情報が入力された電子メールを前記端末から受信したときに、前記受信した電子メールの識別情報に対応する情報を前記記憶手段から読み出す読出し手段と、前記読出し手段によって読み出された情報に基づいた表示を前記端末の画面に行なう端末表示制御手段と、を備えるものであることを特徴とする情報提供システム。
【請求項２】
前記情報は、前記場所と関連のあるものであることを特徴とする請求項１記載の情報提供システム。
【請求項３】
前記情報は広告主のホームページのアドレスであり、情報に基づいた表示とは、広告主のホームページの表示であることを特徴とする請求項１又は２記載の情報提供システム。
【請求項４】
前記管理用サーバは、曜日或いは時間により表示する情報を変更することを特徴とする請求項１、２又は３記載の情報提供システム。
【請求項５】
前記場所はトイレであり、前記識別情報及び前記管理者の電子メールのアドレスは、前記トイレ内のトイレットペーパホルダに表示されていることを特徴とする請求項１、２、３又は４記載の情報提供システム。
【請求項６】
前記識別情報は、少なくとも前記トイレの地理的位置、トイレを設置した事業主の業種、及び性別に応じて異なるものであることを特徴とする請求項５記載の情報提供システム。
【請求項７】
各場所毎に予め付与され表示される固有の識別情報と前記識別情報に対応する情報とを関連付けて、管理用サーバの記憶手段に記憶する工程と、
端末から、宛先に前記識別情報とともに前記場所に表示されている管理者の電子メールのアドレスが入力され、表題に前記識別情報が入力された電子メールを前記管理用サーバに送信する工程と、
前記管理用サーバが前記端末からの前記電子メールを受信したときに、前記管理用サーバが前記電子メールの識別情報に対応する情報を前記記憶手段から読み出す工程と、
前記端末の画面に前記読み出した情報に基づいた表示を行なう表示工程と
を具備することを特徴とする情報提供方法。
【請求項８】
前記情報は広告であり、前記場所はトイレであり、前記広告の広告料及び／又は広告料収入の決済を、前記トイレに用いるトイレ用消耗品の決済と一緒に行うことを特徴とする請求項１、２、３、４、５又は６記載の情報提供システム。
【請求項９】
請求項８記載の情報提供システムを決済システムとして使用することを特徴とする情報提供システム。
【発明の詳細な説明】
【技術分野】
【０００１】
本発明は、例えば、不特定の人が使用するトイレ等の場所において、その場所と関連のある情報を提供する情報提供システム及び情報提供方法に関するものである。
【背景技術】
【０００２】
近年、インターネット等を使用したオンライン広告が利用されている。係るオンライン広告では、バナー広告表示や広告表示専用プログラムを用いた広告表示が行われている。利用者は、バナー広告等をクリックすることにより、広告主のホームページにジャンプしたり、製品を注文したりすることができる。
【０００３】
【特許文献１】特開２００２−８３２１８号公報
【発明の開示】
【発明が解決しようとする課題】
【０００４】
しかしながら、従来のオンライン広告では、広告主が利用者を絞り込むことができないので、期待するほどの広告効果が得られないという問題があった。例えば、女性用の生理用品を扱う会社では、成年の女性だけに広告を見て欲しいのに、従来のオンライン広告では、男性をも対象として広告を行わざるを得ないという問題があった。
【０００５】
本発明は上記事情に基づいてなされたものであり、対象者を絞り込んだ効果的なオンライン広告等の情報提供を行うことができる情報提供システム及び情報提供方法を提供することを目的とする。
【課題を解決するための手段】
【０００６】
上記の目的を達成するための請求項１記載の発明は、各場所毎に予め付与され表示される固有の識別情報と、前記識別情報と共に表示される管理者の電子メールのアドレスと、電子メールを送受することができる管理用サーバと、電子メールを送受することができる端末と、を備え、前記管理用サーバは、前記識別情報と前記識別情報に対応する情報とを関連づけて記憶する記憶手段と、宛先に前記電子メールのアドレスが入力され、表題に前記識別情報が入力された電子メールを前記端末から受信したときに、前記受信した電子メールの識別情報に対応する情報を前記記憶手段から読み出す読出し手段と、前記読出し手段によって読み出された情報に基づいた表示を前記端末の画面に行なう端末表示制御手段と、を備えるものであることを特徴とするものである。
【０００７】
情報というのは、例えばホームページのアドレスであり、情報に基づいた表示とは、例えばそのアドレスのホームページの表示をいう。また、情報に基づいた表示は、情報すなわちホームページのアドレスと、そのホームページの簡単な紹介の表示も含むものである。
【発明の効果】
【０００８】
本発明は、各場所毎に、予め固有の識別情報を付与し、電子メールのアドレスと共に、その識別情報を表示しておき、端末から宛先と表題が入力された電子メールが送られてきたときに、その端末から送られてきた電子メールの表題に入力された識別情報に対応する情報を、記憶手段から読み出し、その端末の画面に、その情報に基づいた表示を行なうことにより、対象者を絞り込んだ効果的なオンライン広告等の情報提供を行うことができる情報提供システム及び情報提供方法を提供することができる。
【発明を実施するための最良の形態】
【０００９】
以下に、図面を参照して、本願に係る発明を実施するための最良の形態について説明する。図１は本発明の一実施形態である情報提供システムの概略図である。本実施形態の情報提供システムは、インターネットを利用した広告を行うためのシステムであり、管理者に送られてくる電子メールの履歴の管理及び広告する場所や期間等の変更・更新等の管理を行う管理用サーバ１０と、複数の広告主サーバ１１ａ，１１ｂ，１１ｃ，・・・と、端末１２ａ，１２ｂ，・・・とを含むものである。１００は、識別番号等のデータを記憶する管理用サーバ１０の記憶部である。なお、本発明は、インターネットに限定されるものではなく、端末と管理用サーバとは、専用回線等で接続するようにしてもよい。また以下では、大勢の人が出入りする場所、例えば、役所、公園、商店、テナントビル、工場、空港、電車の駅、劇場、大学等の学校、デパート、ファミリーレストラン、カラオケ店、コンビニエンス・ストア等のトイレに広告を行う場合について説明する。
【００１０】
予め、各トレイ内には、管理者の電子メールのアドレスとともに、識別番号を表示しておく。この識別番号は、各トイレが設置されている場所の地理的位置、トイレを設置した事業主の業種、性別等に基づいて区分して付与する。管理用サーバ１０は、トイレの利用者が、トイレに表示されている電子メールのアドレスを宛先に入力し、識別番号を表題に入力した電子メールを送ってきたときに、この電子メールの識別番号により、電子メールを送ってきた利用者のトイレがどの場所に設けられたものであるのか、男性用であるのか女性用であるのか等を知ることができる。なお、一般に、宛先にメールアドレスを入力し、表題や本文には何も入力しないで送るメールを空メールと称している。そこで、以下の本実施形態では、宛先にメールアドレスを入力し、表題に識別番号を入力して送るメールを空メールに準じて、準空メールと称する。識別番号は、管理者の電子メールのアドレスとともに、例えば各トイレ内の便座シートの包装や、トイレットペーパホルダ等に表示しておく。識別番号は、数字だけでなく、アルファベットや記号等を使用してもよい。トイレットペーパホルダや便座シートは、トイレの利用者が必ず見るものであるから、これらのものに識別番号等を表示しておくことにより、利用者は容易に識別番号等を認識することができる。なお、識別番号の表示は、上記の場所に限定されるものではなく、トイレ内であれば、例えばトイレの壁面等であってもよい。
【００１１】
便座シートの場合は、次のようにして表示する。一般に、便座シートは、小箱か袋で包装されている。便座シートは、紙を取り出し易いようにするために、包装の一部を切り取って、包装ごと、便座シートのホルダにセットする。利用者は、ホルダの取り出し口から一枚づつ取り出して使用する。このとき、従来の包装では、取り出し口からは便座シートしか見えず、包装は見えない。これに対して本実施形態では、包装の一部を切り取ってホルダに包装ごとセットするが、切り取り位置を工夫して、ホルダの取り出し口から包装の一部が見えるようにする。それと共に、見える包装の位置に管理者の電子メールのアドレスと識別番号を印刷して表示しておく。
【００１２】
トイレットペーパは、包装紙なしで使用されるので、便座シートのように包装資材に印刷しても、利用者に識別番号等をアピールすることはできない。そこで、トイレットペーパホルダの正面に半透明のスライド式のカバーを設け、このカバーに識別番号等を印刷した紙を挟み込むことにより、識別番号等を表示する。なお、トイレットペーパホルダや便座シートのホルダに識別番号等を表示する場合には、識別番号等を印刷したシートを貼着するようにしてもよい。識別番号等をこのようにして表示することにより、簡単に識別番号等を変更することができる。
【００１３】
トイレの利用者は、トイレットペーパホルダ等に表示されている電子メールのアドレスを見て、管理用サーバに電子メールを送ることができる。通常は、トイレと言う特殊な場所であるので、電子メールのアドレスと識別番号以外のものを表示しておく必要はないと考える。しかし、必要に応じて、電子メールの呼びかけ等の表示を合わせて表示するようにしてもよい。
【００１４】
端末は、トイレの利用者自身が持っている携帯電話等の携帯用端末であってもよいし、或いは携帯端末と同等の機能を有する端末をトイレットペーパホルダに組み込んでおくようにしてもよい。具体的には、携帯電話であれば、ＮＴＴのｉモード（登録商標）のように、電子メールを送受信することができ、画像情報や文字情報を取得してディスプレイに表示することができるものであればよい。また、電子メールの送信先が限定された携帯電話をトイレに配置しておくようにしてもよい。この場合、利用者は通話料を払うことなく、電子メールを送信することができので、受信する電子メールの数の増加が期待できる。
【００１５】
図４は、本実施形態の管理用サーバ１０の概略ブロック図である。本実施形態の管理用サーバ１は、図４に示すように、識別番号とその識別番号に対応する広告主のホームページのアドレスとをテーブル形式のデータとして記憶する記憶部１００と、宛先に前記電子メールのアドレスが入力され、表題に前記識別情報が入力された電子メールを前記端末から受信したときに、前記受信した電子メールの識別情報に対応する情報を前記記憶手段から読み出す読出し部１０１と、前記読出し部１０１によって読み出された情報に基づいた表示を端末の画面に行なう端末表示制御部１０２と、電子メールの送受を行なう電子メール送受部１０３とを備えている。図２（Ａ）は、記憶部１１０に記憶したテーブル形式のデータの一例である。図２（Ａ）に示すテーブルでは、各識別番号毎に、曜日に応じた広告主のホームページのアドレスが記載されている。このテーブルの内容は、必要に応じて書き換えられる。管理用サーバ１０は、端末から準空メールを受信すると、図２（Ａ）のテーブルを参照して、識別番号に応じた広告主のホームページにジャンプさせる。なお、図２（Ａ）に示すテーブルでは一の識別番号毎に、一のホームページのアドレスが記載されているが、一の識別番号毎に、複数のホームページのアドレスとそのホームページの簡単な紹介とを記載するようにしてもよい。これにより、端末に複数のホームページのアドレスと簡単な紹介を表示することができ、利用者はその中から希望するホームページを選択することができる。広告主は、必要に応じて、管理用サーバにアクセスして、広告するトイレを変更したり、中止したり、更新したりすることができる。また、管理用サーバは、何時、どのトイレ（識別番号）から準空メールを受信したか等の履歴を記憶部１００に記憶して管理する。
【００１６】
広告主サーバは、トイレに広告を行うことを希望し、予め管理用サーバに登録された広告主のホームページが設けられているサーバであり、既存のものを利用することができる。ところで、従来のオンライン広告の場合、広告主が、広告対象者を絞り込むことは不可能であった。しかしながら、本実施形態では、予め、広告主に対して、トイレの設置場所に関する情報を提供することができるので、広告主は、その情報に基づいて、希望する場所のトイレを指定することができる。広告主による指定は、オンラインで行えるようにしてもよい。図２（Ｂ）は、広告主が広告場所の指定を行うために管理用サーバにアクセスしたときに、広告主のコンピュータに表示される画面を示す図である。広告主は、この画面に基づいて、性別、地域、業種を設定する。管理用サーバは、この設定に基づいて図２（Ａ）に示すテーブルを作成・更新する。なお、設定内容は、図２（Ｂ）の記載に限定されるものではない。これにより、広告主は自己の製品に合った、効果的な広告を行うことができる。例えば、広告主は、女性用トイレだけ、或いは男性トイレだけ、或いは渋谷駅近辺のカラオケ店と言うように、広告対象者の絞り込みを行うことができる。
【００１７】
次に、本実施形態の情報提供システムの処理手順について、図３を参照して説明する。図３は、管理用サーバにおける処理手順を示すフローチャートである。利用者が、例えば、空港内に設けられたトイレを使用しているときに、自分の携帯電話から、トイレットペーパホルダに表示されている電子メールのアドレスと識別番号を入力して準空メールを送信し、管理用サーバがこの準空メールを受信すると、図３の処理が開始される。まず、ステップＳ1では、受信した準空メールの表題に入力された識別番号が有効なものであるか否かを判断する。この識別番号が有効なもの、すなわち図２（Ａ）示すテーブルの識別番号の欄に登録されているものであれば、ステップＳ2に移行する。
【００１８】
ステップＳ2では、管理用サーバは、図２（Ａ）に示すテーブルを参照して、表題に入力された識別番号に応じたホームページのアドレスを読み出し、端末の表示をそのアドレスのホームページにジャンプさせる。これにより、利用者は、そのホームページで文字や音声により製品等に関する情報を取得することができる。
【００１９】
一方、表題に入力された識別番号が無効なもの、すなわち、図２（Ａ）に示すテーブルの識別番号の欄に登録されていないものであれば、ステップＳ3に移行する。ステップＳ3では、管理用サーバは、その準空メールを送ってきた利用者の端末に対し、識別番号の入力ミスを知らせる電子メールを送信する。
【００２０】
トイレの中に、直接的に製品等の表示をして広告をすると、トイレと言う場所柄、却ってその広告主や製品のイメージが悪くなることも考えられる。このため、従来は、殆どトイレの中での広告は行われていなかった。しかしながら、本実施形態によれば、トイレ内に表示されるのは、管理者の電子メールのアドレスと識別番号だけであり、直接、製品や広告主を表示するものではないので、トイレの中と言う特殊な場所であっても、広告によりイメージが悪くなることはない。このように、トイレの中であっても、携帯用端末を介して、製品に関する情報を提供することにより、イメージダウンを避けて、しかも広告対象者を絞った効果的な広告を行うことができる。
【００２１】
本情報システムでは、広告管理者は、広告主から、例えば広告主のホームページへの一回のアクセスに対して、或いは月毎に予め定めた所定の報酬（広告料）を受け取る。また、広告管理者は、トイレットペーパホルダを設置している事業主に、その報酬のなかから、予め定めた広告代金（広告料収入）を支払うこととする。これにより、広告主は広告対象者を絞り込んだ効果的な広告を行うことができ、トイレを設置した事業主は、広告料収入を得ることができるという、従来にない広告システムを提供することができる。
【００２２】
上記の本実施形態によれば、トイレの中と言う限られた空間と限られた時間ではあるが、一人になれる空間での広告は、街頭やテレビや従来のインターネットを用いた広告に比べて、広告効果が大きい。また、利用者は、トイレを使用しながら、その利用しているトイレに関する情報を取得することができ、トイレの時間を有効に活用することができる。一方、広告主は、他の広告媒体に比べて広告対象者を絞り込んで、効果的な広告を行うことができる。
【００２３】
また、上記の本実施形態によれば、管理者は、広告主に対して、予めトイレの設置場所に関する情報を提供し、広告主はその情報に基づいて広告を行うトイレを指定することにより、オンライン広告でも、広告対象者を絞り込んで効果的に広告を行うことができる。
【００２４】
また、上記の本実施形態によれば、例えば、空港のトイレから準空メールを送ってきた利用者に対しては、格安の航空券についての広告を行うようにすれば、他の場所で広告を行うより、広告対象者を絞り込んだ、効果的な広告を行うことができる。また、空港のトイレであれば、出発ロビーにあるのか、到着ロビーにあるのかで、或いは男性用と女性用とで広告の内容を変えることも容易である。また、普段の日はビジネスマンの利用が多いが、例えば連休中は家族旅行等のレジャー客が多いので、時期に応じて広告内容を変えることにより、広告対象者を絞った広告を効率よく行うことができる。一般的には、トイレの地理的位置とトイレを設置している事業者の業種と性別が分かると、容易に利用者層を特定することができる。渋谷駅の近辺にあるカラオケ店の女性用トイレであれば、女子高校生に絞った広告を効率よく行うことができる。
【００２５】
また、上記の本実施形態によれば、広告管理者がトイレットペーパやートイレットペーパホルダの販売者（或いは提供者）である場合、本システムを利用することにより、既存の自己の流通機構を利用して、容易に本システムを実現することができる。また、トイレを設置した事業主である顧客に対しては、準空メールの受信履歴を参照して当該顧客のホームページにアクセスした回数に応じて広告による利益を広告料収入として還元し、例えばトイレットペーパやトイレットペーパホルダを無料で提供することも可能となる。したがって、顧客へのサービスの向上を図ることができ、顧客との結びつきがより強固なものとなる。このように、本実施形態によれば、広告管理者が有する顧客に関する情報及び流通機構を有効に活用して、効果的な広告を行うと共に、広告管理者の顧客に対してサービスの向上を図ることができる。
【００２６】
また、本実施形態のシステムにより、バナー広告等による広告の広告料及び／又は広告料収入の決済を、トイレットペーパ、ペーパタオル、便座シート、石鹸、芳香剤等の消耗品（以下、トイレ用消耗品とも称する。）の決済と一緒に行うことができる。更に、顧客自身も、このシステムを用いて広告を行うことができ、この場合の広告料は、自己の広告料収入と自動的に相殺され、自己の広告を簡易且つ低料金で行うことができる。これにより、伝票等を用いた既存のトイレ用消耗品の決済を有効に活用し、しかも広告料及び／又は広告料収入の決済を、銀行等の振込みを用いることなく、簡易に且つ安価で行うことができる。すなわち、トイレットペーパ等の販売者等（管理者）が、バナー広告等へのアクセス回数を管理し、広告料収入が発生したときには、顧客との間のトイレットペーパ等の決済において、この広告料収入の相殺を行う。また、例えば、トイレットペーパが問屋等を介して販売されている場合、トイレットペーパの製造業者或いは販売業者と問屋との間の決済において、相殺を行い。更に、この相殺が、最終的に問屋と顧客との間の決済に反映される。このように広告により生ずる料金の決済をクレジットカードや銀行振込み等を用いることなく、確実且つ安価に行うことができる。したがって、本実施形態によれば、顧客は、広告料収入を得ると共に、簡単に且つ安価で広告を行うことができ、しかも、これらの決済をトイレ用消耗品の決済において処理することができ、従来の広告方法に比べて、利用しやすく、しかも決済の容易なシステムを提供することができる。
【００２７】
［他の実施形態］
上記の実施形態で、トイレットペーパホルダに携帯端末と同等の機能を有する端末を組み込んでおく場合や、電子メールの送信先が限定された携帯電話をトイレに配置しておく場合について説明した。これらの場合、予め端末に警報用の識別番号を記憶させておき、利用者があるキー操作を行うことにより、或いは専用の警報ボタンを押下することにより、自動で準空メールを管理用サーバに送信させ、管理用サーバは、その準空メールを受信したときには、その準空メールの表題に入力され識別番号に基づいて、警報を発した端末（トイレ）の位置を示す情報をディスプレイに表示すると共に、音或いは画面で警報を発するようにしてもよい。これにより、管理者は容易にトイレの位置を確認することができので、トイレの利用者、特に高齢者がトイレで倒れたときに、迅速に救助活動を行うことが可能となる。この場合、管理用サーバは、例えば、各空港毎に又は各デパート毎に配置することが望ましい。迅速な救助を行うためである。この警報システムは、上記の情報提供システムと同時に、実施してもよいし、独立したシステムとして実施するようにしてもよい。独立したシステムとする場合には、インターネットだけでなく、専用回線等を用いて端末と管理用サーバとを接続するようにしてもよい。
【００２８】
本発明は、上記の実施形態に限定されるものではなく、その要旨の範囲内において種々の変形が可能である。例えば、識別番号等を表示するのは、トイレットペーパホルダや便座シートのホルダに限定されるものではなく、トイレ内であればどこでもよい。
【００２９】
また、上記の実施形態では、データをテーブル形式で記憶部に記憶する場合について説明したが、本発明はこれに限定されるものではなく、データは既知の他の方法、例えばデータベース化して記憶部に記憶するようにしてもよい。
【００３０】
また、上記の実施形態では、識別情報に対応する情報がホームページのアドレスである場合について説明したが、本発明の情報はこれに限られるものではなく、この情報は、例えばレストラン等のクーポン券を発行するためのものであってもよい。これにより、準空メールの送信者に対して、識別番号に応じたクーポン券を発行することができる。また、このようなクーポン券を発行する場合、端末表示制御部は、クーポン券を電子メールで送ることにより、その情報に基づいた表示を端末に行うようにするものであってもよい。更に、電子メールの表題の表示は、これに限定されるものではなく、件名やタイトルなどの表示でもよい。また、電子メールの宛先の表示も同様である。
【００３１】
また、上記の実施形態では、端末から管理用サーバに準空メールを送信する場合について説明したが、管理用サーバを介することなく、直接、広告主のメールアドレスに準空メールを送信できるように、広告主の電子メールのアドレスと識別番号を表示するようにしてもよい。
【００３２】
また、上記の実施形態では、曜日によってジャンプさせるホームページのアドレスを変更する場合について説明したが、曜日だけでなく、或いは曜日とともに、時間によってジャンプさせるホームページを変更するようにしてもよい。例えば、居酒屋の広告であれば、早朝よりも夕方からの広告が効果的であると考えられる。
【００３３】
また、上記の実施形態では、トイレで広告を行う場合について説明したが、トイレ以外に電話ボックス、自動販売機、駅の伝言板、駅のホーム等であってもよいし、提供する情報は広告だけなく、天気予報や交通情報等であってもよい。
【００３４】
また、識別番号等を表示するのは、トイレ内に限定されるものではなく、識別番号等は、レストラン等のテーブル上に置かれているテーブルナプキンホルダやテーブルに表示するようにしてもよい。これにより、レストラン等の顧客は、広告料収入を得ることができ、係る広告料収入と、テーブルナプキンや料理用材料等のレストラン用消耗品の購入費用とを本システムにおいて決済することができる。
【産業上の利用可能性】
【００３５】
以上説明したように、本発明の情報提供システムによれば、各場所毎に、予め固有の識別情報を付与し、電子メールのアドレスと共に、その識別情報を表示しておき、端末から宛先と表題が入力された電子メールが送られてきたときに、その端末から送られてきた電子メールの表題に入力された識別情報に対応する情報を、記憶手段から読み出し、その端末の画面に、その情報に基づいた表示を行なうことにより、対象者を絞り込んだ効果的なオンライン広告等の情報提供を行うことができる。したがって、本発明は、端末を用いた広告等に適用することができる。
【図面の簡単な説明】
【００３６】
【図１】本発明の１実施形態である情報提供システムの概略ブロック図である。
【図２】（Ａ）は識別番号と広告主のホームページのアドレスとの対応関係を示すテーブルの一例を示す図、（Ｂ）は広告箇所を指定するときに表示される画面を示す図である。
【図３】本実施形態の情報提供システムの処理手順を示す図である。
【図４】本実施形態の情報提供システムの管理用サーバの制御ブロック図である。
【符号の説明】
【００３７】
１０    管理用サーバ
１１    広告主サーバ
１２    端末
１００    記憶部
１０１    読出し部
１０２    端末表示制御部
１０３    電子メール送受信部
【図１】
2005070679.tif 000003
【図２】
2005070679.tif 000004
【図３】
2005070679.tif 000005
【図４】
2005070679.tif 000006